(57)【要約】【目的】前倒したシートバックの背裏側を荷台とするために、シートバックの背裏にカーペットを設け、このカーペットの下方に設けた延設部で、カーゴボードとの間の間隙を塞ぐシートにおいて、前記カーペットの延設部が簡単且つ容易に収納できるようにすることである。【構成】シートバックＳＢの後方に有するカーゴボード１下方に棚板２を固定し、この棚板２上にカーペット３の延設部３０を載置して収納することを特徴とする。【選択図】        図１
2004345487.tif 000002
【特許請求の範囲】
【請求項１】
シートクッションに前後方向に傾動自在に取付けたシートバックにおけるその背裏より下方に延設したカーペットの延設部を収納する自動車用シートのカーペット収納構造において、
前記シートバックの後方に有するカーゴボードの下方に、棚板を固定し、該棚板に前記カーペットの延設部を収納してなる自動車用シートのカーペット収納構造。
【請求項２】
前記カーペットの延設部は保形性を有し、前記シートバックの傾動、又はシートの前後移動に連動して前記棚板上をスライド自在に載置してなる請求項１記載の自動車用シートのカーペット収納構造。
【発明の詳細な説明】
【０００１】
【発明の属する技術分野】
本発明は、自動車用シートのカーペット収納構造、詳しくは、荷物室の前方に配設したリャシートの背裏より下方に突出するカーペットの収納構造に関する。
【０００２】
【従来の技術】
従来のリャシートには、シートクッションに前後方向に傾動自在に取付けたシートバックの背裏により下方にカーペットの一部を延設し、リャシートの後方に設けたカーゴボードの下方にカーペットの延設部を収納するものがある。
【０００３】
そして、  シートバックを前倒した際、又はシートを前方に移動した際に、シートバック又はシートクッションと荷物室を構成するカーゴボードとの間に生じる隙間を、シートバックの背裏下方に延設したカーペットの延設部で塞いでいる。
【０００４】
以上のシートバックを起立させた際、又はシートを後方に移動した際に、カーペットの延設部がたるむことがないように延設部を支持部材に固定し、この支持部材をシートの前後移動に応じてカーゴボードの切欠きに案内されて移動できるようにし、またカーゴボードをフロアカーペットで被覆している（特許文献１参照）。
【０００５】
【特許文献１】実開平５ー４１９５７号公報
【０００６】
【発明が解決しようとるす課題】
即ち、前記従来品はカーゴボードに切欠きを設けて、この切欠き内に支持部材を前後移動可能に取付け、支持部材にシートバック側のカーペットを固定し、更に、このカーペットをカーゴボード上のフロアカーペットで挟み込む構造である。
【０００７】
そのため、シートバック側のカーペットの取付性が頗る悪いし、切欠きを有するカーゴボードや支持部材が必要のため、構造が複雑になる不具合があった。
【０００８】
そこで、本発明は斯様な従来品の不具合を除去することを目的とする。
【０００９】
【課題を解決するための手段】
以上の目的を達成するための本発明に係る自動車用シートのカーペット収納構造は、前記シートバックの後方に有するカーゴボードの下方に、棚板を固定し、該棚板に前記カーペットの延設部を収納してなる構成である。
【００１０】
以上の構成により、シートバックの背裏より下方に延設したカーペットの延設部を単に棚板上に載置するのみで、カーペットの延設部をカーゴボードの下方に収納でき、この収納状態でシートバックを傾動又はシートを前後移動しても、カーペットの延設部末端が外部に露出することがない。
【００１１】
また、前記カーペットの延設部を保形性を有する部材で形成し、前記シートバックの傾動、又はシートの前後移動に連動して前記棚板上をスライド自在に載置することにより、カーペットの延設部がスムーズに棚板をシートバックの傾動又はシートの前後移動によって摺動し、カーペットにたるみが生じない。
【００１２】
【発明の実施の形態】
以下、本発明の実施の一形態を図面に基づいて説明する。
図面は、シートがアッパーレール４１とロアレール４０とからなるスライドレール４によって前後方向に移動し、且つ、シートバックＳＢをシートクッションＳＣにリクライニングデバイス５によって前後方向に傾動自在又は前倒可能に取付けた自動車用リャシートを示す。
【００１３】
以上のシートバックＳＢの背裏側にはカーペット３が張設される．したがって、図１鎖線に示すように、シートバックＳＢがヒンジ５０を回転中心５０に前倒すると、シートバックＳＢの背裏は、略水平状になり、そのシートバックＳＢの背裏に設けたカーペット３上に、荷物が載置できるように構成されている。
【００１４】
そして、このシートバックＳＢの後方の自動車の車内は荷物室で、荷物を載置するカーゴボード１が設けてあり、このカーゴボード１のシートバックＳＢ側下方には棚板２が配設され、この棚板２とカーゴボード１の下面との間に収納空間部Ｂが形成されている。
【００１５】
前記シートバックＳＢの背裏に設けてあるカーペット３の下端には、カーペット３を延設した延設部３０が設けてあり、この延設部３０は前記収納空間部Ｂ内の棚板２上に載置されている。
【００１６】
カーペット３は自動車用シートのシートバックの背裏又は自動車用荷物室に使用されている従来周知のカーペットで、一定の厚みを有する剛性等の保形性を有する部材で形成されている。
【００１７】
以上の棚板２はカーゴボード１又はカーゴボード１の下方の車体の固定部材に固定され、図２に示すように、カーペット３の延設部３０における先端部の全体が載置されるように形成されている。
【００１８】
また、図２に示すようにシートバックＳＢをシートクッションＳＣ上に重ねるように前倒した際、或いは、シート全体をスライドレール４によって最前進させた際に、カーペット３の延設部３０が棚板２上から脱落することがない程度に、棚板２の前後方向の幅，奥行きを広く形成している。
【００１９】
そして、図２の状態からシートバックＳＢを起立させて、シートバックＳＢを使用状態にすると、或いは、シートを後進させると、それに連動して、カーペット３の延設部３０は棚板２上をスライドし、収納空間部Ｂの奥部に移動する。
【００２０】
以上のシートバックＳＢの使用状態及びシートバックＳＢの前倒し状態、或いは、シートの前進状態において、シートバックＳＢとカーゴボード１との隙間は前記カーペット１の延設部３０で塞がれる。
【００２１】
そして、カーペット１の延設部３０の端末は、シートバックＳＢ、シートがいずれの形態においても、収納空間部Ｂ内に収納されている。
【００２２】
なお、図示するシートはスライドレール４によって前後方向に調節可能なものであるが、本発明は前後調節不可能なシートでも良い。
【００２３】
また、前記カーゴボード１は棚板２を固定後、車体に固定する。
【００２４】
【発明の効果】
本発明によれば、シートバックの背裏側にカーペットの延設部を設けたシートにおいて、カーペットの延設部を簡単且つ容易に棚板上に載置して収納できる。そのため、シートの組付性を向上し得る。
【００２５】
また、カーゴボードの下方に単に棚板を設けるのみでよいため構造が簡単になり、低原価で提供できる。
【図面の簡単な説明】
【図１】本発明の要部の断面図である。
【図２】シートバックを前倒した状態の部分切欠斜視図である。
【符号の説明】
ＳＢ      シートバック
ＳＣ      シートクッション
１      カーゴボード
２      棚板
３      カーペット
３０      カーペットの延設部
【図１】
2004345487.tif 000003
【図２】
2004345487.tif 000004